(57)【特許請求の範囲】
【請求項１】
外部との無線通信を行う通信コントローラ（８）と、表示ユニット（９）と、これら両者（８・９）に電力を供給する電源（１０）とを有し、
表示ユニット（９）は、通信コントローラ（８）に接続される表示コントローラ（１６）と、不揮発性表示媒体からなる表示部（１７）と、各種データを格納する記憶部（１８）とを備えており、
ＵＨＦ周波数帯の電波を通信媒体にして外部と無線通信を行うＲＦＩＤタグであって、
記憶部（１８）には、ベース画像データ（２２）と、定型画像データ（２３）とが格納されており、
ベース画像データ（２２）の画像には、エリアコードで特定されて定型画像データ（２３）が重畳される合成エリア（２５）が設けられており、
定型画像データ（２３）には、定型画像データ（２３）を特定する定型画像コードが割り当てられており、
表示コントローラ（１６）は、通信コントローラ（８）へ送信された書換えコマンドに基づいて、記憶部（１８）からベース画像データ（２２）および定型画像データ（２３）を読み出し、ベース画像データ（２２）と定型画像データ（２３）とを重畳して表示画像データ（２１）を生成したのち、生成した表示画像データ（２１）の画像を表示部（１７）に表示して、表示内容を書換えるようになっており、
書換えコマンドが、ベース画像データ（２２）の画像の合成エリア（２５）を指定するエリアコードと、エリアコードで指定した合成エリア（２５）に重畳させる定型画像データ（２３）を指定する定型画像コードとを含んでいることを特徴とするＲＦＩＤタグ。
【請求項２】
通信コントローラ（８）は、電源（１０）の電力を利用して外部との間で無線通信を行う通信モードと、電源（１０）の電力を利用することなく外部からの送信波を受信待機する待機モードとにモード変更可能に構成されており、
表示ユニット（９）は、電源（１０）の電力を利用して表示部（１７）の表示内容を書換える書換えモードと、電源（１０）の僅かな電力を利用して通信コントローラ（８）からの起動信号を受信待機するスリープモードとにモード変更可能に構成されており、
通信コントローラ（８）が待機モードから通信モードへとモード変更するのに伴って、表示ユニット（９）がスリープモードから書換えモードへとモード変更され、表示ユニット（９）が書換えモードからスリープモードへとモード変更するのに伴って、通信コントローラ（８）が通信モードから待機モードへとモード変更される請求項１に記載のＲＦＩＤタグ。
【請求項３】
記憶部（１８）に複数のベース画像データ（２２）が格納されており、
各ベース画像データ（２２）には、ベース画像データ（２２）を特定するベース画像コードがそれぞれ割り当てられており、
書換えコマンドにベース画像データ（２２）を指定するベース画像コードが含まれている請求項１または２に記載のＲＦＩＤタグ。
【請求項４】
ＲＦＩＤタグは、記憶部（１８）のデータを書換える更新モードを備えており、
更新モードにおいては、記憶部（１８）に格納されているベース画像データ（２２）および定型画像データ（２３）の一部あるいは全部を消去したのち、外部から通信コントローラ（８）へ送信されたベース画像データ（２２）および定型画像データ（２３）を記憶部（１８）に格納する請求項１から３のいずれかひとつに記載のＲＦＩＤタグ。
【請求項５】
表示部（１７）が電子ペーパーで構成されている請求項１から４のいずれかひとつに記載のＲＦＩＤタグ。
【請求項６】
請求項１から５のいずれかひとつに記載のＲＦＩＤタグと、ホスト端末（１）と、ホスト端末（１）で制御されてＲＦＩＤタグと無線通信を行うリーダライタ（２）とを含む、ＲＦＩＤタグシステムであって、
ＲＦＩＤタグが装着された搬送体（５）の搬送路（３０）に臨む異なる位置に複数のゲート（３１）が設けられ、各ゲート（３１）にそれぞれリーダライタ（２）が配置されており、
搬送体（５）がゲート（３１）を通過する際に、リーダライタ（２）とＲＦＩＤタグとの間で無線通信を行って、表示部（１７）の表示内容を書換えることを特徴とするＲＦＩＤタグシステム。
【発明の詳細な説明】
【技術分野】
【０００１】
本発明は、文字や画像を表示するための表示部を備えたＲＦＩＤタグ、およびＲＦＩＤタグシステムに関し、なかでも、外部とＲＦＩＤタグとの無線通信に使用する電波がＵＨＦ周波数帯であるＲＦＩＤタグ、およびＲＦＩＤタグシステムに関する。
【背景技術】
【０００２】
表示部を備えたＲＦＩＤタグは、例えば特許文献１に公知である。係る特許文献１では、非接触ＩＣチップと、アンテナと、表示モジュールなどで表示付き非接触ＩＣカード（ＲＦＩＤタグ）を構成している。表示モジュールは、表示素子（表示部）と、表示ドライバと、通信ＩＣチップと、ＣＰＵと、メモリなどで構成されている。通信ＩＣチップは、非接触ＩＣチップと通信を行って情報を読み取り、読み取った情報からＣＰＵが表示用データを生成し、表示素子に表示する。非接触ＩＣカードは、非接触ＩＣチップのアンテナと、端末側のリーダライタのアンテナとを近接させた状態で通信を行う、ＮＦＣ（Ｎｅａｒ  Ｆｉｅｌｄ  Ｃｏｍｍｕｎｉｃａｔｉｏｎ）を使用して、無線通信を行うようになっている。
【０００３】
本発明においては、リーダライタとＲＦＩＤタグとの無線通信にＵＨＦ周波数帯の電波を使用するが、同様のＲＦＩＤタグが例えば特許文献２に開示されている。係る特許文献２では、アンテナと、ＩＣチップと、表示デバイスである電子ペーパー（表示部）とでＲＦＩＤタグを構成している。ＩＣチップは、電源生成部、復調部、変調部、制御部、および記憶部などで構成されている。
【先行技術文献】
【特許文献】
【０００４】
【特許文献１】特開２０１０−２５７１５９号公報
【特許文献２】特開２０１０−２１８２５６号公報
【発明の概要】
【発明が解決しようとする課題】
【０００５】
特許文献１の非接触ＩＣカードおよび特許文献２のＲＦＩＤタグのように、表示部を備えたＲＦＩＤタグにおいては、表示部にＲＦＩＤタグ内の情報、あるいは任意の文字や画像を表示することで、ＲＦＩＤタグの機能と、表示体の機能の２つの機能を発揮させることができ、多機能型のＲＦＩＤタグとすることができる。しかし、特許文献１の非接触ＩＣカードとリーダライタとの間で無線通信を行う際には、リーダライタとＩＣカードのアンテナどうしを近接保持する必要があり書換え操作が煩わしい。また、画像などの大きな容量のデータを、リーダライタから非接触ＩＣカードへ送信する場合には、データの容量が大きい分だけ通信時間が長くなるのを避けられず、表示内容を書換える時間が長引く不利がある。
【０００６】
特許文献２のＲＦＩＤタグでは、ＵＨＦ周波数帯を使用して無線通信を行うので、ＮＦＣを使用して無線通信を行う場合に比べて通信距離を大きくすることができ、リーダライタとＲＦＩＤタグのアンテナどうしを近接保持する必要がない。しかし、通信距離が大きいと壁面での無線通信電波の反射波や障害物などの周辺環境の影響を受けて、無線通信の状態が不安定になりやすい。とくに、画像などの大きな容量のデータをＲＦＩＤタグへ送信する場合には通信時間が長くなるため、通信が終了するまでの間に周辺環境の外乱を受けやすい。そのため、データの送信途中に無線通信が不安定になって、表示部の表示内容を書換えることができない状況に陥りやすい。
【０００７】
本発明の目的は、表示部の表示内容を書換える際に、外部とＲＦＩＤタグとの間で行われる無線通信を短時間で完了させて、無線通信が不安定になりやすい周辺環境下であっても、確実に表示部の表示内容を書換えることができるＲＦＩＤタグ、およびＲＦＩＤタグシステムを提供することにある。
【課題を解決するための手段】
【０００８】
本発明は、外部との無線通信を行う通信コントローラ８と、表示ユニット９と、これら両者８・９に電力を供給する電源１０とを有し、表示ユニット９は、通信コントローラ８に接続される表示コントローラ１６と、不揮発性表示媒体からなる表示部１７と、各種データを格納する記憶部１８とを備えており、ＵＨＦ周波数帯の電波を通信媒体にして外部と無線通信を行うＲＦＩＤタグを対象とする。記憶部１８には、ベース画像データ２２と、定型画像データ２３とが格納されている。ベース画像データ２２の画像には、エリアコードで特定されて定型画像データ２３が重畳される合成エリア２５が設けられている。定型画像データ２３には、定型画像データ２３を特定する定型画像コードが割り当てられている。表示コントローラ１６は、外部から通信コントローラ８へ送信された書換えコマンドに基づいて、記憶部１８からベース画像データ２２および定型画像データ２３を読み出し、ベース画像データ２２と定型画像データ２３とを重畳して表示画像データ２１を生成したのち、生成した表示画像データ２１の画像を表示部１７に表示して、表示内容を書換えるようになっている。そして、書換えコマンドが、ベース画像データ２２の画像の合成エリア２５を指定するエリアコードと、エリアコードで指定した合成エリア２５に重畳させる定型画像データ２３を指定する定型画像コードとを含んでいることを特徴とする。なお、ここで言う「不揮発性表示媒体」とは、表示の書換え時に電力を消費し、表示の書換え後は電力を消費することなく、あるいはごく僅かな電力消費で表示状態を保持できる表示媒体のことを意味しており、例えば、電子ペーパーや、開発途上ではあるものの電子ペーパーと同様の利点を備えた有機ＥＬディスプレイ等がある。
【０００９】
通信コントローラ８は、電源１０の電力を利用して外部との間で無線通信を行う通信モードと、電源１０の電力を利用することなく外部からの送信波を受信待機する待機モードとにモード変更可能に構成する。表示ユニット９は、電源１０の電力を利用して表示部１７の表示内容を書換える書換えモードと、電源１０の僅かな電力を利用して通信コントローラ８からの起動信号を受信待機するスリープモードとにモード変更可能に構成する。通信コントローラ８が待機モードから通信モードへとモード変更するのに伴って、表示ユニット９がスリープモードから書換えモードへとモード変更され、表示ユニット９が書換えモードからスリープモードへとモード変更するのに伴って、通信コントローラ８が通信モードから待機モードへとモード変更するように構成する。
【００１０】
記憶部１８に複数のベース画像データ２２を格納し、各ベース画像データ２２には、ベース画像データ２２を特定するベース画像コードをそれぞれ割り当てる。書換えコマンドにベース画像データ２２を指定するベース画像コードを含むように構成する。
【００１１】
ＲＦＩＤタグは、記憶部１８のデータを書換える更新モードを備え、更新モードにおいては、記憶部１８に格納されているベース画像データ２２および定型画像データ２３の一部あるいは全部を消去したのち、外部から通信コントローラ８へ送信されたベース画像データ２２および定型画像データ２３を記憶部１８に格納する。
【００１２】
表示部１７を電子ペーパーで構成する形態を採ることができる。
【００１３】
また、本発明は上記のＲＦＩＤタグと、ホスト端末１と、ホスト端末１で制御されてＲＦＩＤタグと無線通信を行うリーダライタ２とを含む、ＲＦＩＤタグシステムを対象とする。ＲＦＩＤタグが装着された搬送体５の搬送路３０に臨む異なる位置に複数のゲート３１が設けられ、各ゲート３１にそれぞれリーダライタ２が配置されている。搬送体５がゲート３１を通過する際に、リーダライタ２とＲＦＩＤタグとの間で無線通信を行って、表示部１７の表示内容を書換えることを特徴とする。
【発明の効果】
【００１４】
本発明のＲＦＩＤタグおよびＲＦＩＤタグシステムにおいては、ベース画像データ２２と、定型画像データ２３とを記憶部１８に格納した。また、ベース画像データ２２の画像には、エリアコードで特定される定型画像データ２３が重畳される合成エリア２５を設け、定型画像データ２３には、定型画像データ２３を特定する定型画像コードを割り当てた。さらに、表示コントローラ１６は、外部から通信コントローラ８へ送信された書換えコマンドに基づいて、記憶部１８からベース画像データ２２および定型画像データ２３を読み出し、ベース画像データ２２と定型画像データ２３とを重畳して表示画像データ２１を生成したのち、生成した表示画像データ２１の画像を表示部１７に表示して、表示内容を書換えるようにした。そして、書換えコマンドは、ベース画像データ２２の画像の合成エリア２５を指定するエリアコードと、エリアコードで指定した合成エリア２５に重畳させる定型画像データ２３を指定する定型画像コードとを含むようにした。
【００１５】
このように、ベース画像データ２２および定型画像データ２３を予め記憶部１８に格納しておくと、容量の大きな画像データを外部からＲＦＩＤタグへ向かって送信する必要がなく、エリアコードと定型画像コードなどで構成される容量の小さい書換えコマンドをＲＦＩＤタグへ向かって送信するだけで、表示コントローラ１６で表示画像データ２１を生成し、生成した表示画像データ２１の画像を表示部１７に表示して、表示内容を書換えることができる。従って、例えば障害物などが多く無線通信が不安定になりやすい工場や倉庫の建屋内などの環境下であっても、ＲＦＩＤタグとの無線通信を短時間で完了させて、確実に表示部１７の表示内容を書換えることができる。また、合成エリア２５に重畳させる定型画像データ２３を変更することにより、異なる表示画像データ２１を生成できるので、表示部１７に多様な表示内容を表示することが可能である。
【００１６】
電源１０の電力を利用して外部との間で無線通信を行う通信モードと、電源１０の電力を利用することなく外部からの送信波を受信待機する待機モードとにモード変更可能に通信コントローラ８を構成した。また、電源の電力を利用して表示部１７の表示内容を書換える書換えモードと、電源１０からの僅かな電力を利用して通信コントローラ８からの起動信号を受信待機するスリープモードとにモード変更可能に表示ユニット９を構成した。そのうえで、通信コントローラ８が待機モードから通信モードへとモード変更するのに伴って、表示ユニット９をスリープモードから書換えモードへとモード変更し、表示ユニット９が書換えモードからスリープモードへとモード変更するのに伴って、通信コントローラ８が通信モードから待機モードへとモード変更するようにした。これによれば、表示部１７の書換え動作時以外は電源１０の電力をほとんど使用することがなく、電源１０の電力消費の削減を図ることができる。従って、ＲＦＩＤタグの電源交換の頻度を減少させてＲＦＩＤタグのメンテナンスに要する手間と時間を軽減できる。また、表示部１７の書換え動作時には電源１０の電力を使用するので、通信コントローラ８および表示ユニット９を的確に作動させて、確実に表示部１７の表示内容を書換えることができる。
【００１７】
記憶部１８に複数のベース画像データ２２を格納し、各ベース画像データ２２にベース画像コードをそれぞれ割り当て、書換えコマンドにベース画像データ２２を指定するベース画像コードを含むように構成すると、表示すべきベース画像データ２２の画像の種類を増加して、表示部１７の表示内容をさらに多様に書換えることができる。
【００１８】
ＲＦＩＤタグは、記憶部１８のデータを書換える更新モードを備え、更新モードにおいては、記憶部１８に格納されているベース画像データ２２および定型画像データ２３の一部あるいは全部を消去したのち、外部から通信コントローラへ送信されたベース画像データ２２および定型画像データ２３を記憶部１８に格納するようにした。これによれば、ＲＦＩＤタグを更新モードにして、所望のベース画像データ２２および定型画像データ２３を記憶部１８に格納することで、ＲＦＩＤタグの使用場所に応じた最適な表示画像データ２１を生成することができ、使い勝手のよいＲＦＩＤタグとすることができる。
【００１９】
電子ペーパーは、例えば液晶表示体に比べて、表示内容を書換える際の消費電力が僅かであり、また、電力を消費することなく表示状態を保持することができる。従って、表示部１７を電子ペーパーで構成したＲＦＩＤタグによれば、表示部１７での電源１０の電力消費をさらに低減でき、電源１０の長寿命化を図ることができる。
【００２０】
上記のＲＦＩＤタグと、ホスト端末１と、ホスト端末１で制御されてＲＦＩＤタグと無線通信を行うリーダライタ２とを含むＲＦＩＤタグシステムにおいて、ＲＦＩＤタグが装着された搬送体５の搬送路３０に臨む異なる位置に複数のゲート３１を設け、各ゲート３１にそれぞれリーダライタ２を配置した。そして、搬送体５がゲート３１を通過する際に、リーダライタ２とＲＦＩＤタグとの間で無線通信を行って、表示部１７の表示内容を書換えるようにした。こうしたＲＦＩＤタグシステムによれば、搬送体５のゲート通過時にリーダライタ２とＲＦＩＤタグとが無線通信を行うことにより、ＲＦＩＤタグが装着された搬送体５が搬送路３０のどの位置を搬送されているかをホスト端末１で確認することができる。また、例えばゲート３１を通過した搬送体５の次の搬送先を表示部１７に表示することにより、搬送体５の搬送先を目視で確認することができる。本発明のＲＦＩＤタグシステムにおいては、リーダライタ２とＲＦＩＤタグとの無線通信を短時間で完了させることができるので、搬送路３０上をＲＦＩＤタグが移動している状態であっても、表示部１７の表示内容を書換えることができるので、リーダライタ２と移動する搬送体５に装着されたＲＦＩＤタグとの間で無線通信を行うＲＦＩＤタグシステムとして好適である。
【図面の簡単な説明】
【００２１】
【図１】本発明に係るＲＦＩＤタグと、ホスト端末およびリーダライタを示すブロック図である。
【図２】ＲＦＩＤタグを部品ストッカに装着した状態を示す斜視図、およびＲＦＩＤタグの正面図である。
【図３】図２におけるＡ−Ａ線断面図および、図３におけるＢ−Ｂ線矢視図である。
【図４】表示部の表示内容の一例を示す正面図である。
【図５】記憶部に格納したベース画像データの画像および定型画像データの画像の一例を示す説明図である。
【図６】ホスト端末およびＲＦＩＤタグの動作フローを示すフローチャートである。
【図７】本発明に係るＲＦＩＤタグシステムの説明図である。
【発明を実施するための形態】
【００２２】
（実施例）  図１から図７に、本発明に係るＲＦＩＤタグシステムの実施例を示す。本実施例における前後、左右、上下とは、図２に示す矢印と、各矢印の近傍に表記した前後、左右、上下の表示に従う。図１において、ＲＦＩＤタグシステムは、ＲＦＩＤタグと、パーソナルコンピュータ（ＰＣ）からなるホスト端末１と、ホスト端末１に接続される複数のリーダライタ２などで構成されており、ＲＦＩＤタグの通信コントローラ８とリーダライタ２との間で非接触の無線通信を行う。この無線通信にはＵＨＦ周波数帯（９２０ＭＨｚ）の電波を使用し、「ＥＰＣ  Ｇｌｏｂａｌ  Ｃｌａｓｓ−１  Ｇｅｎｅｒａｔｉｏｎ−２」に基づく通信制御が行われる。リーダライタ２は、ホスト端末１で制御されており、無線通信用の送信波を送信し、あるいはＲＦＩＤタグからの反射波を受信するアンテナ３を備える。アンテナ３はパッチアンテナで構成されている。
【００２３】
図２に示すようにＲＦＩＤタグは、上方が開口する四角箱状の部品ストッカ（搬送体）５の側壁外側に装着される、タグ本体７を備えている。図３に示すように、タグ本体７は、後面に開口を有する四角箱状の前ケース７ａと、前ケース７ａの後面開口を塞ぐように固定される後ケース７ｂとからなり、前後のケース７ａ・７ｂは、不透明樹脂で形成されている。前ケース７ａの前面には窓７ｃが開口されており、窓７ｃには透明樹脂製の保護カバー７ｄが嵌め込まれている。図１に示すように、タグ本体７の内部には、リーダライタ２と無線通信を行う通信コントローラ８と、表示ユニット９と、これら両者８・９に電力を供給する一次電池（電源）１０とを有する。通信コントローラ８は、リーダライタ２からの無線通信用の送信波を受信し、あるいは反射波を送信するアンテナ１１を備えており、アンテナ１１は折返しダイポールアンテナで構成されている。通信コントローラ８は、リーダライタ２から送信された指令に基づき、リーダライタ２にデータを送信し、ないしは表示ユニット９と通信を行う。通信コントローラ８、アンテナ１１、表示ユニット９、一次電池１０などは、基板１２（図１参照）上に実装されている。基板１２の詳細は後述する。
【００２４】
通信コントローラ８は記憶部１４を備えており、その記憶領域は、システム領域とユーザー領域とに区分されている。システム領域には、通信コントローラ８固有の識別コードと、リーダライタ２との無線通信を制御するプログラムを備えており、これにより、通信コントローラ８は単独でＲＦＩＤタグの機能を有する。また、システム領域には表示ユニット９の表示コントロール１６との通信を制御するプログラムが格納されている。ユーザー領域は、通信コントローラ８が表示ユニット９と通信を行う際に、リーダライタ２から送信されたデータを一時的に格納するために使用される。
【００２５】
通信コントローラ８は、一次電池１０の電力を利用してリーダライタ２との間で無線通信を行う通信モードと、一次電池１０の電力を利用することなくリーダライタ２からの送信波を受信待機する待機モードとにモード変更可能に構成されている。待機モードから通信モードへとモード変更する際の電力は、アンテナ１１がリーダライタ２から放射された送信波を受信した際の電波によって生じる電力を利用する。
【００２６】
表示ユニット９は、通信コントローラ８に接続される表示コントローラ１６と、電子ペーパー（不揮発性表示媒体）からなる表示部１７と、各種データを格納する記憶部１８とを備える。表示部１７は、その表示面が保護カバー７ｄに臨む状態で設けられており、表示コントローラ１６と表示部１７との間には表示ドライバ１９が設けられている。表示ドライバ１９は、表示部１７の表示内容の制御、および消去などを行う。表示ユニット９の全体は表示コントローラ１６で制御されており、一次電池１０の電力を利用して表示部１７の表示内容を書換える書換えモードと、一次電池１０の僅かな電力を利用して通信コントローラ８からの起動信号を受信待機するスリープモードとにモード変更可能に構成されている。
【００２７】
図１から図３に示すように基板１２は、通信コントローラ８およびアンテナ１１が実装されるアンテナ基板１２ａと、表示コントローラ１６、記憶部１８および表示ドライバ１９などが実装されるメイン基板１２ｂとで構成されている。アンテナ基板１２ａはメイン基板１２ｂに対してピンヘッダ１２ｃで接続され、表示部１７はメイン基板１２ｂに対してフレキシブルケーブル１２ｄで接続されている。図３に示すように、アンテナ基板１２ａとメイン基板１２ｂとの間には隙間Ｇ１が設けられた状態で、両者１２ａ・１２ｂが前後に重なり合うように配置されている。また、表示部１７とメイン基板１２ｂとの間には隙間Ｇ２が設けられた状態で、両者１２ｂ・１７が前後に重なり合うように配置されている。これにより、アンテナ基板１２ａと表示部１７とは隣り合うように配置され、さらに両者１２ａ・１７の間には隙間Ｇ３が設けられている。アンテナ基板１２ａと表示部１７とを隣り合うように配置したことにより、正面視においてタグ本体７は左右非対称に形成されている。なお、隙間Ｇ１は隙間Ｇ２よりも小さく設定されている。
【００２８】
隙間Ｇ１は、２ｍｍ以上５ｍｍ以下に設定することが好ましい。これは、隙間Ｇ１が２ｍｍ未満であると、リーダライタ２のアンテナ３から放射された送信波と、アンテナ３から放射されてメイン基板１２ｂの配線パターンで反射した送信波の両方をアンテナ１１が受信し、無線通信が不安定になるからである。メイン基板１２ｂの配線パターンは銅箔にエッチングを施して形成してある。一方、隙間Ｇ１が５ｍｍを超えると、アンテナ基板１２ａとメイン基板１２ｂとを接続するピンヘッダ１２ｃが周辺環境のノイズを拾いやすくなり、そのため、無線通信が不安定になるからである。また、隙間Ｇ３を設けることにより、電子ペーパーからなる表示部１７が備える電極で反射した送信波を、アンテナ１１が受信するのを効果的に防ぐことができる。また同様に、通信における表示部１７の影響を防ぐため、アンテナ基板１２ａに実装される通信コントローラ８は、表示部１７の隣接端から距離Ｇ４分だけ離れた位置に配置することが望ましい。本実施例では、アンテナ基板１２ａとメイン基板１２ｂとの隙間Ｇ１は２．５ｍｍに設定し、メイン基板１２ｂと表示部１７との隙間Ｇ２は７．５ｍｍに設定し、アンテナ基板１２ａと表示部１７との隙間Ｇ３は３．５ｍｍに設定した。また、正面視における表示部１７と通信コントローラ８との距離Ｇ４は、１８ｍｍに設定した（図３参照）。また、タグ本体７は、前後の厚み寸法を１７ｍｍに設定し、左右の幅寸法を１６０ｍｍに設定し、上下の高さ寸法を９５ｍｍに設定した。
【００２９】
記憶部１８には、表示画像データ２１の基となる複数のベース画像データ２２と、複数の定型画像データ２３とが格納されている。本実施例では、図５（ａ）に示す３個のベース画像データ２２ａ〜２２ｃ（２２）と、図５（ｂ）に示す３個の文字の定型画像データ２３ａ（２３）と、図５（ｃ）に示す１２個の数字および記号の定型画像データ２３ｂ（２３）と、図５（ｄ）に示す２個のバーコードの定型画像データ２３ｃ（２３）を記憶部１８に格納した。各ベース画像データ２２には、ベース画像データ２２を特定するベース画像コードがそれぞれ割り当てられており、各定型画像データ２３には、定型画像データ２３を特定する定型画像コードがそれぞれ割り当てられている。これらの画像コードも、各画像データと、後述するエリアコードとともに記憶部１８に格納している。
【００３０】
ベース画像データ２２の画像には、各種文字や記号が予め表示されている。また、ベース画像データ２２の画像には、エリアコードで特定されて定型画像データ２３が重畳される合成エリア２５が設けられており、合成エリア２５に定型画像データ２３を重畳させることにより、表示部１７に表示する表示画像データ２１が生成される。図５（ａ）に示すように、ベース画像データ２２ａの画像には、「管理番号」、「工程Ｎｏ．」、「数量」、「投入日時」、あるいは四角枠などが表示されていて、これらの表示と関連付けられた位置に想像線で示す６個の合成エリア２５ａ〜２５ｆが予め設定されている。なお、ベース画像データ２２ｂ・２２ｃの画像にもベース画像データ２２ａの画像とは異なる文字や画像などが表示されている。ベース画像データ２２ａ〜２２ｃは、表示部１７の表示画素数と同一の画素数の画像データであり、あらかじめ設定された座標位置で白黒表示を行って、先のような文字表示を行う。
【００３１】
ＲＦＩＤタグは、記憶部１８のデータを書換える更新モードを備えており、ＲＦＩＤタグを更新モードにした状態で、リーダライタ２との無線通信を行うことで、記憶部１８に格納されているベース画像データ２２および定型画像データ２３の一部あるいは全部を消去したのち、リーダライタ２から送信されたベース画像データ２２および定型画像データ２３を記憶部１８に格納する。ベース画像データ２２および定型画像データ２３の一部を消去する場合には、ホスト端末１側で任意のベース画像データ２２および定型画像データ２３を選択して消去することができる。これに伴い、記憶部１８に格納されているベース画像データ２２および定型画像データ２３の全部を消去する場合に比べて、更新モードにおける無線通信時間を短縮することができる。更新モードにおける記憶部１８のデータ書換え時には、無線通信でリーダライタ２からＲＦＩＤタグに画像データを送信するので、外乱の影響を受け難い周辺環境のもとで、ＲＦＩＤタグを静止させた状態で行うことが好ましい。なお、ＲＦＩＤタグを更新モードにする際には、リーダライタ２からＲＦＩＤタグに対して、同タグを更新モードにモード変更する指令を送信する。または、機械的なスイッチを設けて更新モードにモード変更してもよいが、前者の方法がＲＦＩＤタグの構造が複雑化せず、スイッチ操作の手間もなく好ましい。
【００３２】
表示コントローラ１６は、リーダライタ２から通信コントローラ８へ送信された書換えコマンドに基づいて、記憶部１８からベース画像データ２２および定型画像データ２３を読み出し、ベース画像データ２２と定型画像データ２３とを重畳して表示画像データ２１を生成する。表示コントローラ１６は、表示画像データ２１を生成したのち、生成した表示画像データ２１の画像を表示部１７に表示して、表示内容を書換える。
【００３３】
書換えコマンドは、ベース画像データ２２を指定するベース画像コードと、ベース画像データ２２の画像の合成エリア２５を指定するエリアコードと、エリアコードで指定した合成エリア２５に重畳させる定型画像データ２３を指定する定型画像コードで構成されている。このように、ベース画像データ２２、合成エリア２５、および定型画像データ２３を指定するコードで構成される書換えコマンドによれば、そのデータ容量を小さくすることができ、表示部１７の書換えのための無線通信時間を短縮することができる。リーダライタ２から送信された書換えコマンドは、通信コントローラ８の記憶部１４に一時的に格納され、通信コントローラ８と表示コントローラ１６との通信により、表示コントローラ１６に転送されて記憶部１８に格納される。このとき、記憶部１４のユーザー領域より大きな容量のデータがリーダライタ２から送信される場合には、データはホスト端末１でユーザー領域に格納可能な容量に分割され、複数回にわたって通信コントローラ８に送信され、さらに表示コントローラ１６に転送される。先に説明したＲＦＩＤタグの更新モードで画像データを記憶部１８に格納する際にも、同様の送信制御が行われる。
【００３４】
図４に示す表示画像データ２１の画像を表示コントローラ１６が生成する際の書換えコマンドの内容を説明する。この場合の書換えコマンドは、その先頭に、図５に示すベース画像データ２２ａを指定するベース画像コードが記述されており、次に、合成エリア２５ａを指定するエリアコード、および「１２０００−５６７００−０１」のそれぞれの定型画像データ２３ｂを指定する複数の定型画像コードが記述されている。次に、合成エリア２５ｂを指定するエリアコード、および「３９−１２３」のそれぞれの定型画像データ２３ｂを指定する複数の定型画像コードが記述されている。次に、合成エリア２５ｃを指定するエリアコード、および「１５０」のそれぞれの定型画像データ２３ｂを指定する複数の定型画像コードが記述されている。次に、合成エリア２５ｄを指定するエリアコード、および「１４／０８／０４」のそれぞれの定型画像データ２３ｂを指定する複数の定型画像コードが記述されている。次に、合成エリア２５ｅを指定するエリアコード、および「入荷」の文字が描画された定型画像データ２３ａを指定する定型画像コードが記述されている。最後に、合成エリア２５ｆを指定するエリアコード、および二次元バーコードの定型画像データ２３ｃを指定する定型画像コードが記述されている。
【００３５】
ここで、リーダライタ２からＲＦＩＤタグに、ホスト端末１で生成した表示画像データ２１を送信する場合と、本実施例に係る書換えコマンドを送信する場合との通信時間を比較する。まず、例えば表示部１７が４．２インチの電子ペーパーからなり、その表示ピクセル数が４００×３００である場合、ホスト端末１で生成した図４に示す表示画像データ２１のデータ量は１１７ｋｂｉｔであった。これを「ＥＰＣ  Ｇｌｏｂａｌ  Ｃｌａｓｓ−１  Ｇｅｎｅｒａｔｉｏｎ−２」に基づく通信制御で送信するとき、その冗長性は約６倍であるので、リーダライタ２から通信コントローラ８への送信データ量は、７０２ｋｂｉｔとなる。９２０ＭＨｚのＵＨＦ周波数帯における通信レートは３９ｋｂｐｓであるので、ホスト端末１で生成した表示画像データ２１の送信に要する通信時間は約１８秒となる。また、前記表示画像データ２１を圧縮した場合には、そのデータ量を３９ｋｂｉｔまで減じることができるが、この場合でも約６秒の通信時間を要する。次に、上記で説明した書換えコマンドのデータ量は、０．４７ｋｂｉｔであった。これを同様の通信制御により送信するとき、そのデータ量は２．８１ｋｂｉｔとなるので、書換えコマンドの送信に要する通信時間は約０．０７秒となる。従って、本発明のように書換えコマンドを送信して表示部１７の表示を書換える場合には、画像データを送信する場合に比べて、通信時間を格段に短縮することができる。なお、上記で算出した通信時間には、リーダライタ２とＲＦＩＤタグとが無線通信を行う際のレスポンス待ち時間、およびＲＦＩＤタグの内部処理時間は含まれていない。
【００３６】
表示コントローラ１６による図４に示す表示画像データ２１の生成過程を説明する。表示コントローラ１６は書換えコマンドに基づいて、まず、ベース画像コードで指定されたベース画像データ２２ａを記憶部１８から読み出す。次に、各合成エリア２５ａ〜２５ｆ毎に、指定された定型画像データ２３を記憶部１８から読み出し重畳させる工程を繰り返す。これにて、表示画像データ２１が生成される。
【００３７】
表示部１７の表示内容の書換え動作の流れを、図６のフローチャートを用いて説明する。まず、ホスト端末１で表示画像データ２１を決定し、書換えコマンドを生成する。ホスト端末１を操作して書換え動作を開始すると、ホスト端末１はリーダライタ２を制御して送信波の発信を開始し、通信コントローラ８に向けて書換え指令を送信する（Ｓ１）。このとき、通信コントローラ８は、アンテナ１１がリーダライタ２から放射された送信波を受信した際の電波によって生じる電力で起動し、待機モードから通信モードへとモード変更される（Ｓ２）。これに伴い、表示ユニット９はスリープモードから書換えモードへとモードが変更される（Ｓ３）。通信コントローラ８および表示ユニット９のモード変更を確認した通信コントローラ８は、リーダライタ２に向けてＲＦＩＤタグの識別コードを含む起動確認信号を送信する（Ｓ４）。ＲＦＩＤタグの起動を確認したホスト端末１は（Ｓ５）、書換えコマンドのデータの送信を開始する（Ｓ６）。データを受信した通信コントローラ８は、受信したデータを記憶部１４に一時的に格納し（Ｓ７）、表示コントローラ１６にデータを転送する（Ｓ８）。データを取得した表示コントローラ１６（Ｓ９）は、データを記憶部１８に格納する（Ｓ１０）。このとき、記憶部１４のユーザー領域より大きな容量のデータがリーダライタ２から送信される場合には、データは複数回にわたって通信コントローラ８に送信され、Ｓ６からＳ１０の動作が繰り返される。
【００３８】
書換えコマンドのデータをすべて取得した表示コントローラ１６は、書換えコマンドに基づいて、記憶部１８に格納されているベース画像データ２２および定型画像データ２３を読み出して（Ｓ１１）、先に説明した表示画像データ２１の生成過程を経て、表示部１７に表示する表示画像データ２１を生成する（Ｓ１２）。生成された表示画像データ２１は表示ドライバ１９に転送され（Ｓ１３）、表示ドライバ１９は、表示部１７に表示できるデータ形式に表示画像データ２１を変換したのち（Ｓ１４）、現在表示部１７に表示されている表示画像データ２１を消去し、生成した表示画像データ２１の画像を表示部１７に表示して表示内容を書換える（Ｓ１５）。表示内容の書換えが完了した信号を、表示コントローラ１６が表示ドライバ１９から受信すると、表示ユニット９はスリープモードにモード変更される（Ｓ１６）。これに伴い、通信コントローラ８は、リーダライタ２に書換え完了の信号を送信し（Ｓ１７）、通信モードから待機モードへとモードが変更される（Ｓ１８）。書換え動作の完了をホスト端末１が確認すると（Ｓ１９）、ホスト端末１はリーダライタ２を制御して送信波の発信が停止される。なお、逐次動作Ｓ５で起動確認する際に、起動確認信号に含まれるＲＦＩＤタグの識別コードが、書換え対象のＲＦＩＤタグの識別コードと異なっている場合には書換え動作を中断して、表示ユニット９をスリープモードにし、通信コントローラ８を待機モードにする信号をリーダライタ２から送信する。このときには、書換え動作が異常終了した旨を、ホスト端末１で報知する。
【００３９】
図１から図６で示したＲＦＩＤタグは、以下の形態で実施することができる。
タグ本体７の内部に、リーダライタ２と無線通信を行う通信コントローラ８と、電子ペーパーからなる表示部１７を備える表示ユニット９と、これら両者８・９に電力を供給する電源１０とを有し、ＵＨＦ周波数帯の電波を通信媒体にしてリーダライタ２と無線通信を行うＲＦＩＤタグを対象とする。通信コントローラ８は、リーダライタ２が放射する送信波を受信するアンテナ１１を備えており、通信コントローラ８およびアンテナ１１はタグ本体７の内部に配置された基板１２上に実装され、表示部１７は基板１２の前面に配置されており、ＲＦＩＤタグの正面視において、アンテナ１１が表示部１７の投影面から外れた基板１２上に配置されていることを特徴とする。
【００４０】
図２に示すＲＦＩＤタグの正面視において、アンテナ１１を表示部１７の投影面から外れた基板１２上に配置すると、表示部１７の投影面内にアンテナ１１を配置した場合に比べて、リーダライタ２から放射された送信波が表示部１７で遮られる領域を可及的に小さくすることができる。従って、リーダライタ２から放射された送信波をアンテナ１１で良好に受信することができる。なお、表示部１７が送信波を遮るのは、電子ペーパーからなる表示部１７が備える表示状態を切換えるための電極が、送信波を遮蔽および反射するシールドの機能を発揮するからである。
【００４１】
表示ユニット９は、通信コントローラ８に接続される表示コントローラ１６と、各種データを格納する記憶部１８とを含み、基板１２は、通信コントローラ８およびアンテナ１１が実装されるアンテナ基板１２ａと、表示コントローラ１６および記憶部１８が実装されるメイン基板１２ｂとで構成されており、アンテナ基板１２ａが、メイン基板１２ｂの前面に隙間Ｇ１を介して配置されている形態を採ることができる。
【００４２】
メイン基板１２ｂの前面に隙間Ｇ１を介してアンテナ基板１２ａを配置すると、メイン基板１２ｂに配された配線パターンで反射した送信波を、アンテナ１１が受信するのを効果的に防ぐことができ、リーダライタ２から放射された送信波をアンテナ１１でさらに良好に受信することができる。また、アンテナ基板１２ａには、アンテナ１１と通信コントローラ８を接続する配線パターン、およびアンテナ基板１２ａとメイン基板１２ｂとを接続するための配線パターン以外は設ける必要がなく、アンテナ基板１２ａがリーダライタ２から放射された送信波を反射するのを効果的に防ぐことができる。
【００４３】
アンテナ基板１２ａと表示部１７とが、隙間Ｇ３を介して隣り合うように配置されている形態を採ることができる。アンテナ基板１２ａと表示部１７とを隙間Ｇ３を介して隣り合うように配置すると、表示部１７の電極で反射した送信波を、アンテナ１１が受信するのを効果的に防ぐことができ、リーダライタ２から放射された送信波をアンテナ１１でさらに良好に受信することができる。
【００４４】
本実施例のＲＦＩＤタグシステムの適用例として、工場における部品管理に利用した場合について説明する。図７に示すように、部品受入部門と倉庫、および倉庫と組立ラインの間には、ＲＦＩＤタグが装着された部品ストッカ５を搬送するコンベアライン（搬送路）３０が設けられており、コンベアライン３０は、部品受入部門と倉庫とを結ぶ第１コンベアライン３０ａと、倉庫と組立ラインとを結ぶ第２コンベアライン３０ｂとで構成されている。コンベアライン３０に臨む異なる位置に複数のゲート３１が設けられている。具体的には、第１コンベアライン３０ａおよび第２コンベアライン３０ｂの上流端と下流端のそれぞれにゲート３１が設けられている。第１コンベアライン３０ａの上流端のゲート３１は、第１コンベアライン３０ａの搬送始端に臨んで配置するが、他のゲート３１は、コンベアライン３０上に設けられている。各ゲート３１にはそれぞれリーダライタ２が配置されており、それぞれホスト端末１に接続されている。
【００４５】
第１コンベアライン３０ａの上流端のゲート３１に配置されたリーダライタ２とホスト端末１との間には、クライアント端末３２が設けられている。クライアント端末３２は、ホスト端末１と同様の機能を有しており、クライアント端末３２より下位のリーダライタ２を制御してＲＦＩＤタグと無線通信を行うことができる。これにより、部品受入部門の作業員がホスト端末１の設置場所まで移動して表示部１７の書換えを行う必要がなく、部品受入部門の近傍でＲＦＩＤタグの表示部１７の書換えを行うことができる。この書換え時には、図４に示すように部品の管理番号、部品を使用する工程ナンバー、部品ストッカ５に投入された部品の数量、投入日時、および「入荷」の文字などを表示部１７に表示する。なお、クライアント端末３２で表示部１７の書換えを行った場合には、書換え情報はホスト端末１に転送され、ＲＦＩＤタグの識別コードと表示内容とが関連付けられた状態で、ホスト端末１により管理される。
【００４６】
ＲＦＩＤタグの表示部１７の書換えが完了すると、部品ストッカ５を第１コンベアライン３０ａで倉庫に移送する。第１コンベアライン３０ａの上流端のゲート３１を除く他のゲート３１のリーダライタ２は、常に書換え指令を送信しており、搬送される部品ストッカ５がゲート３１を通過する際に、ＲＦＩＤタグは書換え指令を受信して起動し、リーダライタ２に起動確認信号を送信する。この起動確認信号には、ＲＦＩＤタグの識別コードが含まれており、これにより、ホスト端末１は部品ストッカ５を特定することができ、入荷した部品が倉庫に搬送されてきたことを確認できる。部品ストッカ５を特定したホスト端末１は、部品ストッカ５を倉庫に保管するため、ＲＦＩＤタグの表示部１７の「入荷」の文字を先に説明した書換え動作で「保管」に書換える。本実施例のＲＦＩＤタグシステムにおいては、リーダライタ２とＲＦＩＤタグとの無線通信を短時間で完了させることができるので、コンベアライン３０上を部品ストッカ５が搬送されて、ＲＦＩＤタグが移動している状態であっても、表示部１７の表示内容を書換えることができる。倉庫の作業員は、書換えが完了しているのを確認したのち、倉庫に部品ストッカ５を収納する。
【００４７】
倉庫に収納されている部品ストッカ５を出荷する場合には、ホスト端末１に出荷指示が登録され、作業員は出荷指示に従い第２コンベアライン３０ｂ上に部品ストッカ５を載置する。載置された部品ストッカ５は搬送されて第２コンベアライン３０ｂの上流側のゲート３１を通過し、通過の際に先の保管時と同様の動作が行われ、「保管」の文字が「出荷」に書換えられる。このとき、出荷指示と異なる部品ストッカ５が第２コンベアライン３０ｂ上に載置された場合には、ＲＦＩＤタグの識別コードが、出荷指示で登録されたＲＦＩＤタグの識別コードと一致しないため、間違った部品ストッカ５が第２コンベアライン３０ｂ上に載置されたと判断でき、第２コンベアライン３０ｂを停止させて搬送を中止する。この場合には、表示部１７の書換えは行われない。下流側に搬送された部品ストッカ５は、第２コンベアライン３０ｂの下流側のゲート３１を通過し、このとき「出荷」の文字が削除され、製造ラインに到着した部品ストッカ５は、作業員が目視で管理番号など確認したのち組立ラインに部品を供給する。なお、倉庫と部品検査場が併設されて部品検査後に倉庫に保管する場合には、「入荷」の文字を「検品」に書き換え、検品作業が必要な部品ストッカ５であることを表示して、倉庫へと搬送することができる。この場合には、部品検査場にクライアント端末３２およびリーダライタ２を設けておき、検査終了後に「検品」の文字を「保管」に書き換え、倉庫に部品ストッカ５を収納するようにすればよい。
【００４８】
上記のように、部品ストッカ５のゲート３１通過時にリーダライタ２とＲＦＩＤタグとが無線通信を行うことにより、ＲＦＩＤタグが装着された部品ストッカ５がコンベアライン３０のどの位置を搬送されているかをホスト端末１で確認することができる。また、作業員は、部品ストッカ５に収容された部品の品番や収容数、あるいは部品ストッカ５の搬送先を目視で確認することができる。
【００４９】
以上のように、本実施例のＲＦＩＤタグにおいては、ベース画像データ２２と、複数種の定型画像データ２３とを記憶部１８に格納し、表示画像データ２１を表示コントローラ１６で生成する際の書換えコマンドを、ベース画像データ２２の画像の合成エリア２５を指定するエリアコードと、エリアコードで指定した合成エリア２５に重畳させる定型画像データ２３を指定する定型画像コードとを含んで構成したので、容量の大きな画像データをリーダライタ２からＲＦＩＤタグへ向かって送信する必要がなく、エリアコードと定型画像コードなどで構成される容量の小さい書換えコマンドをＲＦＩＤタグへ向かって送信するだけで、表示コントローラ１６で表示画像データ２１を生成し、生成した表示画像データ２１の画像を表示部１７に表示して、表示内容を書換えることができる。従って、例えば障害物などが多く無線通信が不安定になりやすい工場や倉庫の建屋内などの環境下であっても、リーダライタ２とＲＦＩＤタグとの無線通信を短時間で完了させて、確実に表示部１７の表示内容を書換えることができる。また、合成エリア２５に重畳させる定型画像データ２３を変更することにより、異なる表示画像データ２１を生成できるので、表示部１７に多様な表示内容を表示することが可能である。
【００５０】
一次電池１０の電力を利用してリーダライタ２との間で無線通信を行う通信モードと、一次電池１０の電力を利用することなくリーダライタ２からの送信波を受信待機する待機モードとにモード変更可能に通信コントローラ８を構成し、また、電源の電力を利用して表示部１７の表示内容を書換える書換えモードと、一次電池１０からの僅かな電力を利用して通信コントローラ８からの起動信号を受信待機するスリープモードとにモード変更可能に表示ユニット９を構成した。そのうえで、通信コントローラ８が待機モードから通信モードへとモード変更するのに伴って、表示ユニット９をスリープモードから書換えモードへとモード変更し、表示ユニット９が書換えモードからスリープモードへとモード変更するのに伴って、通信コントローラ８が通信モードから待機モードへとモード変更するようにしたので、表示部１７の書換え動作時以外は一次電池１０の電力をほとんど使用することがなく、一次電池１０の電力消費の削減を図ることができる。従って、ＲＦＩＤタグの電源交換の頻度を減少させてＲＦＩＤタグのメンテナンスに要する手間と時間を軽減できる。また、表示部１７の書換え動作時には一次電池１０の電力を使用するので、通信コントローラ８および表示ユニット９を的確に作動させて、確実に表示部１７の表示内容を書換えることができる。
【００５１】
記憶部１８に複数のベース画像データ２２を格納し、各ベース画像データ２２にベース画像コードをそれぞれ割り当て、書換えコマンドにベース画像データ２２を指定するベース画像コードを含むように構成したので、表示すべきベース画像データ２２の画像の種類を増加して、表示部１７の表示内容をさらに多様に書換えることができる。
【００５２】
ＲＦＩＤタグは、記憶部１８のデータを書換える更新モードを備え、更新モードにおいては、記憶部１８に格納されているベース画像データ２２および定型画像データ２３の一部あるいは全部を消去したのち、リーダライタ２から送信されたベース画像データ２２および定型画像データ２３を記憶部１８に格納するようにしたので、ＲＦＩＤタグを更新モードにして、ユーザー側で所望のベース画像データ２２および定型画像データ２３を記憶部１８に格納することで、ＲＦＩＤタグの使用場所に応じた最適な表示画像データ２１を生成することができ、使い勝手のよいＲＦＩＤタグとすることができる。
【００５３】
電子ペーパーは、例えば液晶表示体に比べて、表示内容を書換える際の消費電力が僅かであり、また、電力を消費することなく表示状態を保持することができる。従って、表示部１７を電子ペーパーで構成したＲＦＩＤタグによれば、表示部１７での電源１０の電力消費をさらに低減でき、電源１０の長寿命化を図ることができる。
【００５４】
上記のＲＦＩＤタグと、ホスト端末１と、ホスト端末１で制御されてＲＦＩＤタグと無線通信を行うリーダライタ２とを含むＲＦＩＤタグシステムにおいて、ＲＦＩＤタグが装着された部品ストッカ５のコンベアライン３０に臨む異なる位置に複数のゲート３１を設け、各ゲート３１にそれぞれリーダライタ２を配置した。そして、部品ストッカ５がゲート３１を通過する際に、リーダライタ２とＲＦＩＤタグとの間で無線通信を行って、表示部１７の表示内容を書換えるようにした。本実施例のＲＦＩＤタグシステムによれば、リーダライタ２とＲＦＩＤタグとの無線通信を短時間で完了させることができるので、リーダライタ２と移動する部品ストッカ５に装着されたＲＦＩＤタグとの間で無線通信を行うＲＦＩＤタグシステムとして好適である。
【００５５】
上記の実施例では、合成エリア２５をベース画像データ２２に予め設定したが、その必要はなく、合成エリア２５の基点（合成エリア２５の上部左端）を指定する表示部１７のＸＹ座標と、基点からのＸおよびＹ方向のピクセル数とをエリアデータとすることができる。この場合には、ベース画像データ２２に自在に定型画像データ２３を重畳させることができ、表示部１７により多様な表示内容を表示することが可能である。ベース画像データ２２の画像に、「入荷」、「保管」、「出荷」などの複数の文字を予め表示しておき、これら文字の１個を囲むように丸枠あるいは四角枠の定型画像データ２３を重畳して、これを搬送先の表示としてもよい。この場合には、記憶部１８に記憶させる定型画像データ２３の個数を減じて、定型画像データ２３の総記憶容量を低容量化することができる。
【００５６】
表示部１７は、１個の電子ペーパーで構成したが、複数の電子ペーパーで表示部１７を構成してもよく、すべての電子ペーパー、ないしは任意の電子ペーパーの表示内容を書換えることができる。この場合には、書換えコマンドに書換えを行う電子ペーパーを特定するコードを含むようにすればよい。電源１０は、一次電池に代えて二次電池を使用してもよく、二次電池の充電方法は接点式、ないしは無接点式のいずれの充電形態であってもよい。アンテナ基板１２ａ、メイン基板１２ｂ、および表示部１７の配置において、隙間Ｇ１は隙間Ｇ２よりも小さく設定したが、隙間Ｇ１を隙間Ｇ２よりも大きく設定することができる。アンテナ１１は、折り返しダイポールアンテナ以外に、半波長ダイポールアンテナ、パッチアンテナなど、リーダライタ２からの送信波を受信し、あるいは反射波を送信できるアンテナであればよい。
【符号の説明】
【００５７】
１  ホスト端末
２  リーダライタ
５  搬送体（部品ストッカ）
８  通信コントローラ
９  表示ユニット
１０  電源（一次電池）
１６  表示コントローラ
１７  表示部
１８  記憶部
２１  表示画像データ
２２  ベース画像データ
２３  定型画像データ
２５  合成エリア
３０  搬送路（コンベアライン）
３１  ゲート
【図１】
0006302804.tif 000002
【図２】
0006302804.tif 000003
【図３】
0006302804.tif 000004
【図４】
0006302804.tif 000005
【図５】
0006302804.tif 000006
【図６】
0006302804.tif 000007
【図７】
0006302804.tif 000008